(57)【要約】      （修正有）【課題】フロート部とスカート部とを着脱自在にすることにより、共通のフロート部に対して異なるスカート部を付け替え可能になるため、保管場所の縮小及びコスト縮減ができるフェンスを提供する。【解決手段】水上又は水中で使用されるフェンス１０であって、フロート部１１と、前記フロート部１１から水中に垂下するように設置される幕状のスカート部１２と、を備え前記フロート部１１と前記スカート部１２とは着脱自在に結合されていることを特徴とする。【選択図】図１
2018086923.tif 000002
【特許請求の範囲】
【請求項１】
水上又は水中で使用されるフェンスであって、
フロート部と、
前記フロート部から水中に垂下するように設置される幕状のスカート部と、を備え前記フロート部と前記スカート部とは着脱自在に結合されている
ことを特徴とするフェンス。
【請求項２】
前記フロート部と前記スカート部とは着脱部で着脱自在に結合され、
前記着脱部は前記フロート部と前記スカート部との間に介在する線ファスナーであること
を特徴とする請求項１に記載のフェンス。
【請求項３】
前記フロート部と前記スカート部とは着脱部で着脱自在に結合され、
前記着脱部は前記フロート部と前記スカート部との間に介在し、一方がフロート部側に、他方がスカート部側に設けられる一対の面ファスナーであること
を特徴とする請求項１に記載のフェンス。
【請求項４】
前記フロート部と前記スカート部とは着脱部で着脱自在に結合され、
前記着脱部は前記フロート部と前記スカート部との間に介在し、一方がフロート部側に、他方がスカート部側に設けられる一対の金属製のボタンであり、
前記ボタンは、一方が凹型で他方が凸型の嵌合部材からなること
を特徴とする請求項１に記載のフェンス。
【発明の詳細な説明】
【技術分野】
【０００１】
本発明は、フロート式フェンスに関する。
【背景技術】
【０００２】
例えば、フロートに接近する船舶のスクリューにロープやネットを絡ませることにより船舶がフロートに接近することを防止する船舶接近防止浮体構造が知られている。（例えば特許文献１）。
【先行技術文献】
【特許文献】
【０００３】
【特許文献１】特許第５５２０６５３号
【発明の概要】
【発明が解決しようとする課題】
【０００４】
特許文献１に係る船舶接近防止浮体構造は、濁水又は流木等の流下を阻止するために、水に浮く部材からなるフロート部と、フロート部から水中に垂下して濁水又は流木等の流下を阻止するスカート部とで構成されている。スカート部は、濁水の流下を阻止する場合に使用される部分（以下、「濁水防止部」と称する。）と、流木の流下を阻止する場合に使用される部分（以下、「流木阻止部」と称する。）とでは、その構造及び材質が異なる。濁水防止部は、隙間がない幕状であり、一方、流木阻止部は、網目状である。対して、フロート部は、濁水及び流木のいずれにおいてもその構造及び材質が同一である。フロート部とスカート部（濁水防止部及び流木阻止部）とは、分離しないように縫込部で接合される。
【０００５】
しかし、特許文献では、流下を阻止する対象が濁水であるか又は流木であるかによって、フロート部が同一の物であるにもかかわらず、スカート部（濁水防止部又は流木阻止部）の構造及び材質が異なるために二種類のフェンスを準備しなければならず、広い保管場所を必要とし、又、二重のコストを要する虞があった。
【課題を解決するための手段】
【０００６】
前述した課題を解決する主たる本発明は、水上又は水中で使用されるフェンスであって、フロート部と、前記フロート部から水中に垂下するように設置される幕状のスカート部と、を備え前記フロート部と前記スカート部とは着脱自在に結合されていることを特徴とする。
【０００７】
本発明の他の特徴については、添付図面及び本明細書の記載により明らかとなる。
【発明の効果】
【０００８】
本発明によれば、フロート部とスカート部とを着脱自在にすることにより、共通のフロート部に対して異なるスカート部を付け替え可能になるため、保管場所の縮小及びコスト縮減ができる。
【図面の簡単な説明】
【０００９】
【図１】第１着脱部及び第４着脱部に線ファスナーを用いたシルトフェンスの斜視図を示す。
【図２】第１着脱部及び第４着脱部に面ファスナーを用いたシルトフェンスの斜視図を示す。
【図３】第１着脱部及び第４着脱部に凹凸式ボタンを用いたシルトフェンスの斜視図を示す。
【図４】第１着脱部及び第４着脱部に線ファスナーを用いた網場の斜視図を示す。
【図５】第１着脱部及び第４着脱部に面ファスナーを用いた網場の斜視図を示す。
【図６】第１着脱部及び第４着脱部に凹凸式ボタンを用いた網場の斜視図を示す。
【発明を実施するための形態】
【００１０】
本明細書および添付図面の記載により、少なくとも以下の事項が明らかとなる。なお、以下説明において、Ｘ軸はフロート部２の長手方向に沿う軸であり、Ｙ軸はＸ軸に直交する軸であり、Ｚ軸はＸ軸及びＹ軸に直交する軸である。また、図１〜図６において、同一の部材については同一の数字を付して説明する。
【００１１】
＝＝＝フェンス１０〜６０の構成＝＝＝
図１〜図６を参照しつつ、フェンス１０〜６０の構成について以下のとおり説明する。図１は、第１着脱部１１ｂ及び第４着脱部１２ｂに線ファスナーを用いたシルトフェンス１０の斜視図を示す。図２は、第１着脱部２１ｂ及び第４着脱部２２ｂに面ファスナーを用いたシルトフェンス２０の斜視図を示す。図３は、第１着脱部３１ｂ及び第４着脱部３２ｂに凹凸式ボタンを用いたシルトフェンス３０の斜視図を示す。図４は、第１着脱部４１ｂ及び第４着脱部４２ｂに線ファスナーを用いた網場４０の斜視図を示す。図５は、第１着脱部５１ｂ及び第４着脱部５２ｂに面ファスナーを用いた網場５０の斜視図を示す。図６は、第１着脱部６１ｂ及び第４着脱部６２ｂに凹凸式ボタンを用いた網場６０の斜視図を示す。
【００１２】
＝＝線ファスナーのシルトフェンス１０＝＝
図１を参照しつつフロート部１１とスカート部１２とを線ファスナーで接合されるシルトフェンス１０について説明する。なお、線ファスナーとは、噛合する一対のエレメント部１１ｂ１，１２ｂ１と、エレメント部１１ｂ１，１２ｂ１を噛み合わせたり離したりするスライダー部１１ｂ２とを含んで構成されている。スライダー部１１ｂ２は、例えば、後述する第１着脱部１１ｂ、後述する第２着脱部１１ｃ、後述する第５着脱部１２ｃに噛合して外れないように設ける。線ファスナーは、強度がＪＩＳ-Ｓ３０１５に適合していればよい。尚、チェーン幅は、フェンス１の規模によって決められるが、１２ｍｍ以上が好ましい。又、材質は、金属製であることとし、例えば、洋白が好ましい。
【００１３】
シルトフェンス１０は、水上及び水中において、濁水、油等が水の流れの方向に流出（以下、「流下」と称する。）するのを阻止する設備である。シルトフェンス１０は、フロート部１１と、スカート部１２とを含んで構成されている。
【００１４】
フロート部１１は、水に対する浮力を利用してシルトフェンス１０を水面に浮上させる機能を有する。フロート部１１は、浮体部１１ａと、第１着脱部１１ｂと、第２着脱部１１ｃと、第３着脱部１１ｄとを含んで構成されている。フロート部１１は、Ｘ軸とＹ軸を含む平面において略四角形状を呈する。
【００１５】
浮体部１１ａは、水に対する浮力をフロート部１１に与えるための部材である。浮体部１１ａは、例えば、後述するスカート部１２をフロート部１１に接続した状態で水に浮かべたとき、浮体部１１ａの一部が水上に浮上できる程度の浮力を有する。浮体部１１ａは、Ｘ軸とＹ軸を含む平面において略四角形状を呈する。浮体部１１ａは、例えば、ポリエステルからなる外包部材１１ａ１と、外包部材１１ａ１に封入されているポリウレタンからなる内包部材１１ａ２とから構成されている。
【００１６】
第１着脱部１１ｂは、フロート部１１とスカート部１２とを着脱可能にする部材からなる。第１着脱部１１ｂは、浮体部１１ａのＸ軸に沿う外縁の片側に設けられている。第１着脱部１１ｂは、線ファスナーのうちの一方である。つまり、第１着脱部１１ｂは、後述する第４着脱部１２ｂとで線ファスナーを形成する。第１着脱部１１ｂは、浮体部１１ａのＸ軸に沿う外縁の片側をＸ軸の＋方向の端部からＸ軸の−方向の端部にかけて隙間なく設けられている。
【００１７】
第２着脱部１１ｃは、フロート部１１と他のフロート部２１０とをＸ軸の＋方向に連接するための部材からなる。第２着脱部１１ｃは、浮体部１１ａのＹ軸に沿う外縁のＸ軸の＋側に設けられている。第２着脱部１１ｃは、線ファスナーのうちの一方である。第２着脱部１１ｃは、浮体部１１ａのＹ軸に沿う外縁の片側をＹ軸の＋方向の端部からＹ軸の−方向の端部にかけて隙間なく設けられている。
【００１８】
第３着脱部１１ｄは、フロート部１１と他のフロート部２１１とをＸ軸の−方向に連接するための部材からなる。第３着脱部１１ｄは、浮体部１１ａのＹ軸に沿う外縁のＸ軸の−側に設けられている。第３着脱部１１ｄは、線ファスナーのうちの一方である。第３着脱部１１ｄは、浮体部１１ａのＹ軸に沿う外縁の片側をＹ軸の＋方向の端部からＹ軸の−方向の端部にかけて隙間なく設けられている。
【００１９】
スカート部１２は、水中において濁水、油等が流下するのを防ぐための部材である。スカート部１２は、幕部１２ａと、第４着脱部１２ｂと、第５着脱部１２ｃと、第６着脱部１２ｄと、錘部１３とを含んで構成されている。スカート部１２は、Ｘ軸とＹ軸を含む平面において略四角形状を呈する。
【００２０】
幕部１２ａは、Ｘ軸とＹ軸を含む平面において略四角形状を呈する部分である。幕部１２ａは、例えば、ポリエステルからなる幕状の部材である。幕部１２ａは、濁水、所謂水中の微細な粒子が流下するのを防ぐ部材であるため、Ｘ軸とＹ軸を含む平面において隙間を有さない幕状を呈する。幕部１２ａは、Ｘ軸の方向の長さがフロート部１１のＸ軸の方向の長さと等しい。幕部１２ａがフロート部１１よりも短い場合、長さの違いによって生じる隙間から濁水等が流下する虞があるためである。又、第２着脱部１１ｃと後述する第５着脱部１２ｃとのＹ軸に沿う夫々の端部が接し、第３着脱部１１ｄと後述する第６着脱部１２ｄとのＹ軸に沿う夫々の端部が接する構造とする。第２着脱部１１ｃと第５着脱部１２ｃとの隙間、第３着脱部１１ｄと第６着脱部１２ｄとの隙間から濁水又は流木等が流下する虞があるためである。幕部１２ａのＹ軸に沿う方向の長さは、特に限定されない。
【００２１】
第４着脱部１２ｂは、幕部１２ａとフロート部１１とを着脱可能にする部材からなる。第４着脱部１２ｂは、幕部１２ａのＸ軸に沿う外縁の片側に設けられている。第４着脱部１２ｂは、第１着脱部１１ｂとで線ファスナーを形成する。第４着脱部１２ｂは、第１着脱部１１ｂと接合されるように、幕部１２ａのＸ軸に沿う外縁の片側をＸ軸の＋側の端部からＸ軸の−側の端部にかけて設けられている。
【００２２】
第５着脱部１２ｃは、スカート部１２と他のスカート部２１２とをＸ軸の＋方向に連接するための部材からなる。第５着脱部１２ｃは、幕部１２ａのＹ軸に沿う外縁のＸ軸の＋方向に設けられている。第５着脱部１２ｃは、例えば、線ファスナーのうちの一方である。第５着脱部１２ｃは、例えば、幕部１２ａのＹ軸に沿うＸ軸の＋側の外縁においてＹ軸に沿って＋側の端部からＹ軸に沿って−側の端部にかけて隙間なく設けられている。
【００２３】
第６着脱部１２ｄは、スカート部１２と他のスカート部２１３とをＸ軸の−方向に連接するための部材からなる。第６着脱部１２ｄは、幕部１２ａのＹ軸に沿う外縁のＸ軸の−方向に設けられている。第６着脱部１２ｄは、例えば、第５着脱部１２ｃとで線ファスナーを形成する。第６着脱部１２ｄは、例えば、幕部１２ａのＹ軸に沿ってＸ軸の−側の外縁においてＹ軸に沿って＋側の端部からＹ軸に沿って−側の端部にかけて隙間なく設けられている。
【００２４】
錘部１３は、水中において、スカート部３を安定して垂下させるための部材を取り付ける部分である。錘部１３は、例えば、第４着脱部１２ｂと対向する他の一方の外縁に複数の穴を設けて、別途設ける錘を接続できる構造である。
【００２５】
尚、上記において、フロート部１１には、テンションベルト（不図示）を設けられてもよい。テンションベルトは、例えば、浮体部１１ａのＸ軸に沿った方向の中心線上に設けられる。テンションベルトは、例えば、第２着脱部１１ｃ及び第３着脱部１１ｄに接続された他のフロート部２１０及びフロート部２１１のテンションベルトと接続され、第２着脱部１１ｃ及び第３着脱部１１ｄが受けるＸ軸に沿った方向の力をテンションベルトに分散させる機能を有する。又、上記において、浮体部１１ａの内包部材１１ａ２をポリウレタンとして説明したが、これに限定されない。例えば、浮体部１１ａの内包部材１１ａ２は、発砲スチロールであってもよい。又、浮体部１１ａの外包部材１１ａ１及び幕部１２ａをポリエステルとして説明したが、これに限定されない。浮体部１１ａの外包部材１１ａ１及び幕部１２ａは、濁水の泥粒子及び油を透過させない素材であればよい。又、第２着脱部１１ｃ及び第３着脱部１１ｄを線ファスナーとして説明したが、これに限定されない。例えば、面ファスナー、複数の凹凸式ボタンであってもよい。又、第５着脱部１２ｃ及び第６着脱部１２ｄを線ファスナーとして説明したが、これに限定されない。例えば、面ファスナー、複数の凹凸式ボタンであってもよく、さらには、第５着脱部１２ｃ及び第６着脱部１２ｄを設けなくてもよい。又、線ファスナーには、洋白を用いるとして説明したが、これに限定されない。例えば、丹銅であってもよい。
【００２６】
＝＝面ファスナーのシルトフェンス２０＝＝
図２を参照しつつフロート部２１とスカート部２２とを面ファスナーで接合されるシルトフェンス２０について説明する。なお、面ファスナーとは、例えば、二面を一対とし、一面が鉤状の後述する第１着脱部（フック部）２１ｂと、他の一面がループ状の後述する第４着脱部（引掛け部）２２ｂとで構成されるファスナーである。面ファスナーは、鉤状の第１着脱部（フック部）２１ｂを有する面とループ状の第４着脱部（引掛け部）２２ｂを有する面とを対向して接触させると、第１着脱部（フック部）２１ｂの鉤と第４着脱部（引掛け部）２２ｂのループとが係合して接合される。
【００２７】
シルトフェンス２０は、水上及び水中において、濁水、油等が流下するのを阻止する設備である。シルトフェンス２０は、フロート部２１と、スカート部２２とを含んで構成されている。フロート部２１は、浮体部２１ａと、第１着脱部２１ｂと、第２着脱部２１ｃと、第３着脱部２１ｄとを含んで構成されている。スカート部２２は、幕部２２ａと、第４着脱部２２ｂと、第５着脱部２２ｃと、第６着脱部２２ｄと、錘部２３とを含んで構成されている。
【００２８】
尚、浮体部２１ａは浮体部１１ａと同じものであり、第２着脱部２１ｃは第２着脱部１１ｃと同じものであり、第３着脱部２１ｄは第３着脱部１１ｄと同じものであり、幕部２２ａは幕部１２ａと同じものであり、第５着脱部２２ｃは第５着脱部１２ｃと同じものであり、第６着脱部２２ｄは第６着脱部１２ｄと同じものであり、錘部２３は錘部１３と同じものあるため、その説明を省略する。
【００２９】
第１着脱部２１ｂは、フロート部２１とスカート部２２とを着脱可能にする部材である。第１着脱部２１ｂは、浮体部２１ａのＸ軸に沿う外縁の片側に設けられている。第１着脱部２１ｂは、面ファスナーのうちの例えばフック部である。つまり、第１着脱部２１ｂは、後述する第４着脱部２２ｂ（引掛け部）と面ファスナーを形成する。第１着脱部２１ｂは、浮体部２１ａのＸ軸に沿う外縁の片側をＸ軸の＋方向の端部からＸ軸の−方向の端部にかけて隙間なく設けられている。
【００３０】
第４着脱部２２ｂは、幕部２２ａとフロート部２１とを着脱可能にする部材である。第４着脱部２２ｂは、幕部２２ａのＸ軸に沿う外縁の片側に設けられている。第４着脱部２２ｂは、第１着脱部２１ｂ（フック部）とで面ファスナーを形成する、例えば引掛け部である。第４着脱部２２ｂは、第１着脱部２１ｂと掛合するように、幕部２２ａのＸ軸に沿う外縁の片側をＸ軸の＋方向の端部からＸ軸の−方向の端部にかけて設けられている。
【００３１】
尚、上記において、面ファスナーには、鉤状のフック部を用いるとして説明したが、これに限定されない。例えば、マッシュルーム状のフック部であってもよく、引掛け部と掛合するものであればよい。
【００３２】
＝＝凹凸式ボタンのシルトフェンス３０＝＝
図３を参照しつつフロート部３１とスカート部３２とを凹凸式ボタンで接合されるシルトフェンス３０について説明する。なお、凹凸式ボタンとは、嵌合する一対の第１着脱部（凹型部）３１ｂと第４着脱部（凸型部）３２ｂとで構成されるファスナーである。凹凸式ボタンは、第１着脱部（凹型部）３１ｂに第４着脱部（凸型部）３２ｂが嵌合して接合される。又、材質は、金属製であることとし、例えば、洋白や丹銅であることが好ましい。
【００３３】
シルトフェンス３０は、水上及び水中において、濁水、油等が流下するのを阻止する設備である。シルトフェンス３０は、フロート部３１と、スカート部３２とを含んで構成されている。フロート部３１は、浮体部３１ａと、第１着脱部３１ｂと、第２着脱部３１ｃと、第３着脱部３１ｄとを含んで構成されている。スカート部３２は、幕部３２ａと、第４着脱部３２ｂと、第５着脱部３２ｃと、第６着脱部３２ｄと、錘部３３とを含んで構成されている。
【００３４】
尚、浮体部３１ａは浮体部１１ａと同じものであり、第２着脱部３１ｃは第２着脱部１１ｃと同じものであり、第３着脱部３１ｄは第３着脱部１１ｄと同じものであり、幕部３２ａは幕部１２ａと同じものであり、第５着脱部３２ｃは第５着脱部１２ｃと同じものであり、第６着脱部３２ｄは第６着脱部１２ｄと同じものであり、錘部３３は錘部１３と同じものであるため、その説明を省略する。
【００３５】
第１着脱部３１ｂは、フロート部３１とスカート部３２とを着脱可能にする部材からなる。第１着脱部３１ｂは、浮体部３１ａのＸ軸に沿う外縁の片側に設けられている。第１着脱部３１ｂは、凹凸式ボタンのうちの、例えば凹型部からなる。つまり、第１着脱部３１ｂは、後述する第４着脱部３２ｂと凹凸式ボタンを形成する。第１着脱部３１ｂは、浮体部３１ａのＸ軸に沿う外縁の片側をＸ軸の＋方向の端部からＸ軸の−方向の端部にかけて一定の間隔で設けられている。尚、一定の間隔とは、浮体部３１ａとスカート部３２とが接続された状態において−Ｚ方向から見て隙間を生じさせない程度の間隔をいう。
【００３６】
第４着脱部３２ｂは、幕部３２ａとフロート部３１とを着脱可能にする部材である。第４着脱部３２ｂは、幕部３２ａのＸ軸に沿う外縁の片側に設けられている。第４着脱部３２ｂは、第１着脱部３１ｂ（凹型部）と嵌合する凸型部からなる。第４着脱部３２ｂは、第１着脱部３１ｂと嵌合するように、幕部２２ａのＸ軸に沿う外縁の片側をＸ軸の＋方向の端部からＸ軸の−方向の端部にかけて一定の間隔で設けられている。
【００３７】
＝＝線ファスナーの網場４０＝＝
図４を参照しつつフロート部４１とスカート部４２とを線ファスナーで接合される網場４０について説明する。
【００３８】
網場４０は、水上及び水中において、流木等が流下するのを阻止する設備である。網場４０は、フロート部４１と、スカート部４２とを含んで構成されている。フロート部４１は、浮体部４１ａと、第１着脱部４１ｂと、第２着脱部４１ｃと、第３着脱部４１ｄとを含んで構成されている。スカート部４２は、幕部４２ａと、第４着脱部４２ｂと、第５着脱部４２ｃと、第６着脱部４２ｄと、錘部４３とを含んで構成されている。
【００３９】
尚、フロート部４１はフロート部１１と同じものであり、第４着脱部４２ｂは第４着脱部１２ｂと同じものであり、第５着脱部４２ｃは第５着脱部１２ｃと同じものであり、第６着脱部４２ｄは第６着脱部１２ｄと同じものであるため、その説明を省略する。
【００４０】
幕部４２ａは、Ｘ軸とＹ軸を含む平面において略四角形状を呈する部分である。幕部４２ａは、例えば、ポリエステルからなる幕網状の部材である。幕部４２ａは、水中の流木等の物体が流下するのを防ぐ部材であるため、軽量化の観点からＸ軸とＹ軸を含む平面において網目を有する幕網状を呈する。幕部４２ａは、Ｘ軸の方向の長さがフロート部４１のＸ軸の方向の長さと等しい。幕部４２ａがフロート部４１よりも短い場合、長さの違いによって生じる隙間から流木等が流下する虞があるためである。又、第２着脱部４１ｃと第５着脱部４２ｃとのＹ軸に沿う夫々の端部が接し、第３着脱部４１ｄと第６着脱部４２ｄとのＹ軸に沿う夫々の端部が接する構造とする。第２着脱部４１ｃと第５着脱部４２ｃとの隙間、第３着脱部４１ｄと第６着脱部４２ｄとの隙間から濁水等が流下する虞があるためである。幕部４２ａのＹ軸に沿う方向の長さは、特に限定されない。
【００４１】
錘部４３は、水中において、スカート部４２を安定して垂下させるための部材である。錘部４３は、例えば、第４着脱部４２ｂと対向する他の一方の外縁に例えば複数の鉛を付設させる。
【００４２】
＝＝面ファスナーの網場５０＝＝
図５を参照しつつフロート部５１とスカート部５２とを面ファスナーで接合される網場５０について説明する。
【００４３】
網場５０は、水上及び水中において、流木等が流下するのを阻止する設備である。網場５０は、フロート部５１と、スカート部５２とを含んで構成されている。フロート部５１は、浮体部５１ａと、第１着脱部５１ｂと、第２着脱部５１ｃと、第３着脱部５１ｄとを含んで構成されている。スカート部５２は、幕部５２ａと、第４着脱部５２ｂと、第５着脱部５２ｃと、第６着脱部５２ｄと、錘部５３とを含んで構成されている。
【００４４】
尚、フロート部５１はフロート部２１と同じものであり、第４着脱部５２ｂは第４着脱部２２ｂと同じものであり、第５着脱部５２ｃは第５着脱部２２ｃと同じものであり、第６着脱部５２ｄは第６着脱部２２ｄと同じものであるため、その説明を省略する。
【００４５】
幕部５２ａは、Ｘ軸とＹ軸を含む平面において略四角形状を呈する部分である。幕部５２ａは、例えば、ポリエステルからなる幕網状の部材である。幕部５２ａは、水中の流木等の物体が流下するのを防ぐ部材であるため、軽量化の観点からＸ軸とＹ軸を含む平面において網目を有する幕網状を呈する。幕部５２ａは、Ｘ軸の方向の長さがフロート部５１のＸ軸の方向の長さと等しい。幕部５２ａがフロート部５１よりも短い場合、長さの違いによって生じる隙間から流木等が流下する虞があるためである。又、第２着脱部５１ｃと第５着脱部５２ｃとのＹ軸に沿う夫々の端部が接し、第３着脱部５１ｄと第６着脱部５２ｄとのＹ軸に沿う夫々の端部が接する構造とする。第２着脱部５１ｃと第５着脱部５２ｃとの隙間、第３着脱部５１ｄと第６着脱部５２ｄとの隙間から濁水等が流下する虞があるためである。幕部５２ａのＹ軸に沿う方向の長さは、特に限定されない。
【００４６】
錘部５３は、水中において、スカート部５２を安定して垂下させるための部材である。錘部５３は、例えば、第４着脱部５２ｂと対向する他の一方の外縁に例えば複数の鉛を付設させる。
【００４７】
＝＝凹凸式ボタンの網場６０＝＝
図６を参照しつつフロート部６１とスカート部６２とを凹凸式ファスナーで接合される網場について説明する。
【００４８】
網場６０は、水上及び水中において、流木等が流下するのを阻止する設備である。網場６０は、フロート部６１と、スカート部６２とを含んで構成されている。フロート部６１は、浮体部６１ａと、第１着脱部６１ｂと、第２着脱部６１ｃと、第３着脱部６１ｄとを含んで構成されている。スカート部６２は、幕部６２ａと、第４着脱部６２ｂと、第５着脱部６２ｃと、第６着脱部６２ｄと、錘部６３とを含んで構成されている。
【００４９】
尚、フロート部６１はフロート部３１と同じものであり、第４着脱部６２ｂは第４着脱部３２ｂと同じものであり、第５着脱部６２ｃは第５着脱部３２ｃと同じものであり、第６着脱部６２ｄは第６着脱部３２ｄと同じものであるため、その説明を省略する。
【００５０】
幕部６２ａは、Ｘ軸とＹ軸を含む平面において略四角形状を呈する部分である。幕部６２ａは、例えば、ポリエステルからなる幕網状の部材である。幕部６２ａは、水中の流木等の物体が流下するのを防ぐ部材であるため、軽量化の観点からＸ軸とＹ軸を含む平面において網目を有する幕網状を呈する。幕部６２ａは、Ｘ軸の方向の長さがフロート部６１のＸ軸の方向の長さと等しい。幕部６２ａがフロート部６１よりも短い場合、長さの違いによって生じる隙間から流木等が流下する虞があるためである。又、第２着脱部６１ｃと第５着脱部６２ｃとのＹ軸に沿う夫々の端部が接し、第３着脱部６１ｄと第６着脱部６２ｄとのＹ軸に沿う夫々の端部が接する構造とする。第２着脱部６１ｃと第５着脱部６２ｃとの隙間、第３着脱部６１ｄと第６着脱部６２ｄとの隙間から濁水等が流下する虞があるためである。幕部６２ａのＹ軸に沿う方向の長さは、特に限定されない。
【００５１】
錘部６３は、水中において、スカート部６２を安定して垂下させるための部材である。錘部６３は、例えば、第４着脱部６２ｂと対向する他の一方の外縁に例えば複数の鉛を付設させる。
【００５２】
＝＝＝シルトフェンス１０，２０，３０の使用手順＝＝＝
図１を参照しつつシルトフェンス１０の使用手順について説明する。尚、図２及び図３に示されるシルトフェンス２０，３０は、図１に示されるシルトフェンス１０と同様の使用手順であるため、その説明を省略する。
【００５３】
シルトフェンス１０は、例えば、ダム本体の長手方向と並行してダム湖を横断するようにダム湖中流域に設けられる。降雨により濁水がダム湖に流入した場合、ダム湖中流域に設置されているシルトフェンス１０で泥の粒子を沈降させダム本体地点まで流下させないことを目的に設置される。さらに、シフトフェンス１０は、例えば、油がダム湖に流入した場合、油を取り囲むように設置することにより、油の流下を阻止することもできる。
【００５４】
このようなシルトフェンス１０を設置するには、作業員は、先ず、フロート部１１とスカート部１２が接合されていない状況を確認する。次に、シルトフェンス１０によって流下を阻止する対象物が濁水（又は油）であることを確認する。
【００５５】
次に、フロート部１１及びスカート部１２を現地に運ぶ。現地において、作業員は、フロート部１１の第１着脱部１１ｂと、スカート部１２の第４着脱部１２ｂとを接合する。次に、作業員は、フロート部１１の第２着脱部１１ｃと、他のフロート部２１０の第３着脱部２１０ａとを接合する。次に、作業員は、スカート部１２の第５着脱部１２ｃと、他のスカート部２１２の第６着脱部２１２ａとを接合する。尚、フロート部１１と他のフロート部２１０，スカート部１２と他のスカート部２１２が連接される数は、濁水の流下を阻止する範囲に基づいて決定される。
【００５６】
次に、作業員は、シルトフェンス１０を水中に投下する。水上からフロート部１１を牽引してシルトフェンス１０を目的の範囲に設置する。作業が完了した後、作業員は、シルトフェンス１０を水中から引き揚げて、フロート部１１とスカート部１２との接合、フロート部１１と他のフロート部２１０との接合、スカート部１２と他のスカート部２１２との接合している状態を解除する。尚、作業が完了するとは、例えば、濁水の泥粒子がダム湖底に沈降した状況をいう。
【００５７】
＝＝＝網場４０，５０，６０の使用手順＝＝＝
図４を参照しつつ網場４０の使用手順について説明する。尚、図５及び図６に示される網場５０，６０は、図４に示される網場４０と同様の使用手順であるため、その説明を省略する。
【００５８】
網場４０は、例えば、ダムの取水口付近に設けられる。網場４０は、降雨により流木等がダム湖に流入した場合、流木等を網場で捕えて流木等がダムの取水口へ流入するのを阻止することを目的とする。
【００５９】
このような網場４０を設置するには、作業員は、先ず、フロート部４１とスカート部４２とが接合されていない状況を確認する。次に、網場４０によって流下を阻止する対象物が流木であることを確認する。
【００６０】
次に、フロート部４１及びスカート部４２を現地に運ぶ。現地において、作業員は、フロート部４１とスカート部４２とを接合し，フロート部４１と他のフロート部２２２を接合し，スカート部４２と他のスカート部２２４とを接合する。尚、フロート部４１と他のフロート部２２２，スカート部４２と他のスカート部２２４が接合される数は、流木の流下を阻止する範囲に基づいて決定する。
【００６１】
次に、作業員は、網場４０を水中に投下する。作業員は、水上からフロート部４１を牽引してフェンス４０を目的の範囲に設置する。作業が完了した後、作業員は、網場４０を水中から引き揚げて、フロート部４１とスカート部４２との接合、フロート部４１と他のフロート部２２２との接合、スカート部４２と他のスカート部２２４との接合を解除する。尚、作業が完了するとは、例えば、作業員が流木を回収した状況をいう。
【００６２】
尚、上記の実施形態は、本発明の理解を容易にするためのものであり、本発明を限定して解釈するためのものではない。本発明は、その趣旨を逸脱することなく、変更、改良され得るとともに、本発明にはその等価物も含まれることとし、例えば以下に示すようなものも含まれる。
【００６３】
＝＝＝まとめ＝＝＝
以上説明したように、本実施形態に係るフェンス（又は網場）１０，２０，３０，４０，５０，６０は、水上又は水中で使用されるフェンス（又は網場）（１０，２０，３０，４０，５０，６０）であって、フロート部（１１，２１，３１，４１，５１，６１）と、当該フロート部から水中に垂下するように設置される幕状のスカート部（１２，２２，３２，４２，５２，６２）とを備え、当該フロート部と当該スカート部とは着脱自在に結合されている。本実施形態によれば、フロート部（１１，２１，３１，４１，５１，６１）とスカート部（１２，２２，３２，４２，５２，６２）とを別々に持ち運ぶことが可能であり、又、一つのフロート部に対して、二種類以上のスカート部を選択してフロート部に接合することができる。よって、作業員の作業負担の軽減及びスカート部の調達コストの縮減を図ることができる。
【００６４】
又、本実施形態に係るフェンス（又は網場）１０，４０において、フロート部（１１，４１）とスカート部（１２，４２）とは第１着脱部（１１ｂ，４１ｂ）及び第４着脱部（１２ｂ，４２ｂ）で着脱自在に結合され、第１着脱部（１１ｂ，４１ｂ）及び第４着脱部（１２ｂ，４２ｂ）はフロート部（１１，４１）とスカート部（１２，４２）との間に介在する線ファスナーである。本実施形態によれば、一般的に使用される線ファスナーを利用することで、作業員の作業負担軽減及び製作コストの縮減を図ることができる。
【００６５】
又、本実施形態に係るフェンス（又は網場）２０，５０において、フロート部（２１，５１）とスカート部（２２，５２）とは第１着脱部（２１ｂ，５１ｂ）及び第４着脱部（２２ｂ，５２ｂ）で着脱自在に結合され、第１着脱部（２１ｂ，５１ｂ）及び第４着脱部（２２ｂ，５２ｂ）はフロート部（２１，５１）とスカート部（２２，５２）との間に介在し、一方がフロート部（２１，５１）側に、他方がスカート部（２２，５２）側に設けられる一対の面ファスナーである。本実施形態によれば、一般的に使用される面ファスナーを利用することで、作業員の作業負担軽減及び製作コストの縮減を図ることができる。
【００６６】
又、本実施形態に係るフェンス（又は網場）３０，６０において、フロート部（３１，６１）とスカート部（３２，６２）とは第１着脱部（３１ｂ，６１ｂ）及び第４着脱部（３２ｂ，６２ｂ）で着脱自在に結合され、第１着脱部（３１ｂ，６１ｂ）及び第４着脱部（３２ｂ，６２ｂ）はフロート部（３１，６１）とスカート部（３２，６２）との間に介在し、一方がフロート部（３１，６１）側に、他方がスカート部（３２，６２）側に設けられる一対の金属製のボタンである。ボタンは、一方が凹型であり、他方が凸型である嵌合部材からなる。本実施形態によれば、一般的に使用される凹凸式ボタンを利用することで、作業員の作業負担軽減及び製作コストの縮減を図ることができる。
【符号の説明】
【００６７】
１０，２０，３０，４０，５０，６０    フェンス
１１，２１，３１，４１，５１，６１    フロート部
１２，２２，３２，４２，５２，６２    スカート部
１１ｂ，２１ｂ，３１ｂ，４１ｂ，５１ｂ，６１ｂ    第１着脱部
１２ｂ，２２ｂ，３２ｂ，４２ｂ，５２ｂ，６２ｂ    第４着脱部
【図１】
2018086923.tif 000003
【図２】
2018086923.tif 000004
【図３】
2018086923.tif 000005
【図４】
2018086923.tif 000006
【図５】
2018086923.tif 000007
【図６】
2018086923.tif 000008